(57)【要約】【課題】生コンプラントで製造される生コンの出荷状況を管理する出荷管理システムにおいて、キーボードで入力する経験の少ない出荷管理者でも出荷条件データの入力を簡単な操作で行う出荷管理システムを提供することを目的とする。【解決手段】入力工程でディスプレイ部の画面に入力画像を表示させ、入力画像の画面に触れることで出荷条件データの入力を行うので、キーボードで入力する経験の少ない出荷管理者でも出荷条件データを選択式で簡単な操作で入力できる。【選択図】        図１
2004167948.tif 000002
【特許請求の範囲】
【請求項１】
生コンプラントで製造される生コンの出荷状況を管理する出荷管理システムにおいて、生コンの出荷条件データを入力する入力手段と、あらかじめ入力された出荷条件データを記憶し任意に呼び出すことが可能な記憶手段と、前記入力手段と記憶手段による出荷条件データに基づき出荷指示処理を行う演算手段と、出荷条件データや入力画面を表示する表示手段を備える出荷管理装置を用い、前記出荷条件データを入力手段によって入力を行う入力工程と、前記出荷条件データに基づいて生コンプラントへ生コン製造の指示を行う出荷指示工程を有し、前記入力工程における入力手段が文字データを入力する際には表示手段の画面上に表示された文字ボタンの画像を触れることで文字の入力を行い、次に文字データを漢字やカタカナに変換する際には表示手段の画面上に表示された漢字・カナ変換ボタンの画像を触れることで入力された文字を漢字やカタカナに変換を行い、さらに、数字データを入力する際には表示手段の画面上に表示された数字ボタンの画像を触れることで数字の入力を行うことを特徴とする生コンプラントの出荷管理システム。
【請求項２】
前記入力手段が、あらかじめ記憶手段に記憶させた使用頻度の高い単語を登録した単語ボタンを備えており、表示手段の画面上に表示された単語ボタンの画像を触れることで単語の入力を行うことを特徴とする請求項１記載の生コンプラントの出荷管理システム。
【請求項３】
前記入力手段が、入力する出荷条件データのうち事前に設定されている出荷条件データをあらかじめ入力して記憶手段に記憶させておき、出荷を行う際には記憶手段から事前に入力した出荷条件データを呼び出し、次に出荷ごとに決定される出荷別データを入力することにより必要な出荷条件データの入力を行うことを特徴とする請求項１記載の生コンプラントの出荷管理システム。
【請求項４】
前記入力手段が、記憶手段に事前に入力して記憶されている出荷条件データを呼び出して、該出荷条件データを表示手段にリスト状に配列して表示し、所望する出荷条件データを選択することで出荷条件データを入力することを特徴とする請求項１記載の生コンプラントの出荷管理システム。
【発明の詳細な説明】
【０００１】
【産業上の利用分野】
本発明は、生コンプラントで製造される生コンの出荷状況を管理する出荷管理システムに関するものである。
【０００２】
【従来の技術】
生コンプラントにて生コンを製造、出荷する場合には、以下の手順が行われている。生コンの受注を受けると、出荷管理者は受注に基づいて出荷条件データを出荷管理装置の入力手段を用いて入力し、出荷管理装置に設けられた記憶手段へ記憶させる。
その後、生コンの出荷時には出荷管理装置の記憶手段に記憶されている出荷条件データを呼び出し、出荷条件データに基づく出荷伝票（納入書）を印刷する。一方、出荷条件データは生コンプラントの操作盤へ送信され出荷条件データ通りの配合、量の生コンを製造してアジテータ車へ積載される。
【０００３】
前記のような出荷工程においては、出荷管理者は出荷管理装置の入力手段に出荷条件データの入力を行う必要がある。出荷管理装置の入力手段にはキーボードやマウスが設けられており、（例えば特許文献１参照）キーボードに備えられたアルファベットやひらがな、数字のキーを押して選ぶことにより文字や数字の入力が行われる。また、マウスは表示手段の画面上での位置を指定したり、選択肢を選んだりするのに用いられる。
キーボードやマウスの操作を行う際に、出荷管理者は表示手段の画面と手元のキーボードを交互に見ながら入力を行うので、作業が煩雑となり、非常に面倒な作業である。
また、キーボードのアルファベットやひらがなのキー配列はＪＩＳ配列で統一されており、アルファベット順（ＡＢＣ順）や５０音順になっておらず、キー配列に慣れていないと文字の選択時に所望のキーをすぐに見つけるのことができず時間がかかり、今までキーボードでの入力作業の経験の少ない出荷管理者にとってはキーボードを用いた出荷条件データの入力作業は簡単ではない。
【０００４】
また、表示画面に表示した画像上のカーソルをマウスの移動と同調させることで移動させて画像上の位置を指定しているが、マウスの移動の微小な位置調整や位置確定の際に行うダブルクリックはマウス操作に不慣れな出荷管理者には困難な作業であり、入力に時間がかかり、また誤入力の原因となる。
そのため、入力に伴う抵抗感が生じ、システム全体の使いづらさを感じてしまう。
【０００５】
【特許文献１】
特開２０００‐１２７１４４号公報（段落番号００２４）
【０００６】
【発明が解決しようとする課題】
したがって、本発明は、生コンプラントにおいて、キーボードで入力する経験の少ない出荷管理者でも出荷条件データの入力を簡単な操作で行う出荷管理システムを提供することを目的とする。
【０００７】
【課題を解決するための手段】
上記の課題を解決するため、本発明は、生コンプラントで製造される生コンの出荷状況を管理する出荷管理システムにおいて、生コンの出荷条件データを入力する入力手段と、あらかじめ入力された出荷条件データを記憶し任意に呼び出すことが可能な記憶手段と、前記入力手段と記憶手段による出荷条件データに基づき出荷指示処理を行う演算手段と、出荷条件データや入力画面を表示する表示手段を備える出荷管理装置を用い、前記出荷条件データを入力手段によって入力を行う入力工程と、前記出荷条件データに基づいて生コンプラントへ生コン製造の指示を行う出荷指示工程を有し、前記入力工程における入力手段が文字データを入力する際には表示手段の画面上に表示された文字ボタンの画像を触れることで文字の入力を行い、次に文字データを漢字やカタカナに変換する際には表示手段の画面上に表示された漢字・カナ変換ボタンの画像を触れることで入力された文字を漢字やカタカナに変換を行い、さらに、数字データを入力する際には表示手段の画面上に表示された数字ボタンの画像を触れることで数字の入力を行うことを特徴とする。
【０００８】
【発明の実施の形態】
以下、本発明の一実施例について図を用いて説明する。図１は本発明における出荷管理システムの一連の構成を示すフロー図である。
図１において、本発明の出荷管理システムを行うために構成される出荷管理装置１は、出荷管理者が受注を受けた生コンの出荷に必要な出荷条件データの入力を行う入力手段２と、あらかじめ入力された出荷条件データを記憶しておき必要なときに呼び出すことのできる記憶手段３と、前記入力手段と記憶手段による出荷条件データに基づき生コンプラントの操作盤への出荷指示処理を行う演算手段２５と、出荷条件データを入力する入力画面や記憶手段から呼び出した出荷条件データを表示するディスプレイ部を有する表示手段４を備えている。
前記入力手段２は表示手段４に設けられるディスプレイ部を用いて、ディスプレイ部の画面に入力したい項目を表示して、この部分を指で触れることによって選択した項目が入力される構成になされている。
【０００９】
出荷条件データ入力時や出荷指示時にディスプレイ部に表示する表示画像として、出荷条件データの項目を一覧表示して入力する項目を選択する際に表示する出荷条件データ入力画像５と、選択された各項目の出荷条件データの入力を行う際に表示する項目入力画像６と、入力された出荷条件データをリスト表示して出荷指示を行う際に表示する出荷条件データ表示画像７が設けられている。
図２に示す出荷条件データ入力画像５には、生コンの出荷を行う際に必要な出荷条件データとして、出荷する生コンを配送するアジテータ車に付した車番データと、生コンの発注元である顧客名を示す顧客データと、出荷先の現場名を示す現場データと出荷する生コンの配合を示す配合データと、生コンを出荷する時刻を示す出荷時刻データと、出荷する生コンの量を示す出荷量データをデータごとに入力する入力部８がそれぞれ設けられて、入力された各出荷条件データを表示するようになされている。データを入力する際には入力部８の画面に触れると項目入力画像６に切り替わるようになされている。また、各出荷条件データを項目入力画像６上で入力を終了させた後、全ての出荷条件データを記憶手段３へ記憶させる登録ボタン９が設けられている。
【００１０】
図３に示す項目入力画像６は、出荷条件データ入力画像５において文字データを入力する顧客データと現場データの入力部８が選択された場合には、ひらがなを５０音順に一文字ずつ配列された文字ボタン１０を設けている。同様にアルファベットもＡＢＣ順に一文字ずつ配列された文字ボタン１０を設けている。前記文字ボタン１０に触れると、該当する文字ボタン１０に割り付けられた文字が選択されるようになされている。
選択された文字を表示する入力文字表示部１１が項目入力画像６に設けられており、文字ボタン１０で選択しながら、所望のデータを入力する。入力されたひらがなを漢字に変換するための漢字変換ボタン１２と、ひらがなをカタカナに変換するカタカナ変換ボタン１３を設けて、入力文字表示部１１に表示された文字を編集する際には前記変換ボタン１２，１３に触れて漢字変換やカタカナ変換が行われる。
文字の入力の際には、使用頻度の高い語句を繰り返し入力する必要があるので、多く用いられる単語（例えば、顧客データでの「工業」や「（株）」、現場データでの「新築」や「工事」など）に単語入力専用の単語ボタン１４を設け、記憶手段にあらかじめ記憶しておき、これらの単語を入力する際には単語ボタン１４を触れると単語の文字が入力されるようになされている。
【００１１】
出荷条件データ入力画像５において、数字データを入力する車番データと配合データと出荷時刻データと出荷量データの入力部８が選択された場合、項目入力画像６に、数字を一文字ずつ配列した数字ボタン１５が設けられている。数字ボタン１５に触れると、該当する数字ボタン１５に割り付けられた数字が選択されるようになされ、選択された数字が入力文字表示部１１に表示される。
また、出荷条件データを入力する際に、事前に入力したデータを流用できるように選択した項目の記憶手段３に記憶されている出荷条件データをリスト表示する入力済データ表示部１６を設けて、所望する出荷条件データに触れることで選択された出荷条件データが入力文字表示部１１へ表示されるようになされている。
前記のように選択した文字や数字を取り消す取り消しボタン１７とそれぞれ選択した文字や数字を出荷条件データとして入力する決定ボタン１８が設けられており、各々のボタン１７、１８に触れて取り消しや入力を行い、選択した文字や数字を任意に編集して出荷条件データを項目ごとに入力する。
【００１２】
図４に示す出荷条件データ表示画像７では、記憶手段３に入力された出荷条件データを一件ごとにリスト表示する入力済出荷条件データ表示部１９が備えられており、前期出荷条件データ入力画像５で入力された出荷条件データを表示する。リスト表示された出荷条件データは一件ずつ選択可能になされており、入力済出荷条件データ表示部１９の出荷条件データに触れることで一件分の出荷条件データを選択し、選択された出荷条件データの一覧を表示する選択データ表示部２０が備えられている。選択された出荷条件データを生コンプラントの操作盤２３に送信する実行ボタン２１と出荷条件データをプリンター２４に送信して出荷伝票を印刷する伝票印刷ボタン２２が設けられている。
【００１３】
演算手段２５は前記実行ボタンに触れることによって、生コンプラントの操作盤２３へ出荷条件データに基づいた生コンの出荷指示処理を行うようになされている。
記憶手段３には、前記表示画像や入力された出荷条件データを記憶する記憶媒体が備えられており、入力手段２によって入力された出荷条件データや以前入力された出荷条件データを記憶させて、任意にデータを呼び出すことができるようになされている。
表示手段４は、入力手段２で入力を行う表示画像や記憶手段３から呼び出した出荷条件データを表示するディスプレイ部を備えており、前記のようにディスプレイ部の画面に触れることで画面に表示した画像での項目を入力する構成になされている。
【００１４】
次に本発明の出荷管理システムの動作を出荷管理の工程に沿って説明する。
生コンの出荷受注を受けた出荷管理者は、受注を受けた生コンの出荷条件データを出荷管理装置１の入力手段２を用いて入力する。入力された出荷条件データは記憶手段３に記憶される。生コンの出荷条件データを入力する入力工程では出荷条件データとして、出荷する生コンを配送するアジテータ車に付した車番データと、生コンの発注元である顧客名を示す顧客データと、出荷先の現場名を示す現場データと、出荷する生コンの配合を示す配合データと、生コンを出荷する時刻を示す出荷時刻データと、出荷する生コンの量を示す出荷量データが入力される。
【００１５】
入力手段２に用いるディスプレイ部に出荷条件データを入力するための出荷条件データ入力画像５を表示させる。ディスプレイ部は画面に表示した画像に触れることによって項目が選択される構成になされており、出荷条件データ入力画像５に設けられた入力する出荷条件データの入力部８に触れると、その項目の出荷条件データの入力を行う項目入力画像６に切り替わり、その項目の出荷条件データの入力を行うことができる。例えば、顧客データを入力する際には出荷条件データ入力画像５での顧客データの入力部８に触れて、顧客データの項目入力画像６をディスプレイ部に表示させて顧客データを入力する。
【００１６】
選択された出荷条件データの項目が顧客データと現場データなどの場合には、入力されるデータは文字データであるので、項目入力画像６には５０音順に配列されたひらがなとＡＢＣ順に配列されたアルファベトの文字ボタン１０が表示され、これらの文字ボタン１０を触れることで文字を選択して、文字データを入力文字表示部１１に表示する。ひらがなを漢字やカタカナに変換する場合は各々の変換ボタン１２、１３を触れることで変換を行う。使用頻度の高い語句を入力する場合、多く用いられる単語入力専用の単語ボタン１４に触れることで単語の文字が入力される。
また、事前に入力したデータを流用したい場合は、選択した項目の記憶手段３に記憶されている出荷条件データが入力済データ表示部１６にリスト表示され、入力済データ表示部１６の所望する出荷条件データ部分に触れてデータを選択して、入力文字表示部１１に表示することができる。
【００１７】
選択された出荷条件データの項目が車番データと配合データと出荷時刻データと出荷量データなどの場合には、入力されるデータは数字データであるので、項目入力画像は数字を一文字ずつ配列した数字ボタン１５が表示され、これらの数字ボタン１５を触れながら選択し、選択された数字データを入力文字表示部１１に表示する。
入力文字表示部１１に表示された文字や数字を取り消す場合は取り消しボタン１７の画面に触れることで削除しながら、編集して出荷条件データを作成して決定ボタン１８に触れることで入力文字表示部１１に表示されたデータが入力され、項目入力画像６を閉じて出荷条件データ入力画像５に戻る。この工程を出荷条件データごとに行って出荷条件データを入力する。
前記の工程によって出荷条件データ入力画像５での入力部８の出荷条件データが全て入力を終了すると、出荷条件データ入力画像５の登録ボタン９の画面に触れることで入力した出荷条件データが記憶手段３に記憶される。
【００１８】
次に記憶手段３から呼び出した出荷条件データに基づいて生コンプラントの操作盤２３へ生コン製造の指示を行う出荷指示工程を行う際には、表示手段４であるディスプレイ部に出荷条件データ表示画像７を表示して、出荷条件データ表示画像７の入力済出荷条件データ表示部１９に入力済の出荷条件データを一件ごとにリスト表示させる。出荷指示を行う出荷条件データを触れることで選択して、選択データ表示部２０に表示させ、出荷を実行させる実行ボタン２１に触れることで演算手段２５が生コンプラントの操作盤２３に出荷条件データを送信して出荷条件データに基づいた生コンの出荷指示処理を行う。また、伝票印刷ボタン２２に触れることで出荷伝票の印刷指示をプリンター２４に送信して出荷条件データの出荷伝票を印刷させる。
このように、出荷条件データの入力から出荷指示までをディスプレイ部に表示した出荷条件データ入力画像５、項目入力画像６、出荷条件データ表示画像７の画像上の選択操作のみで行うので、キーボードやマウス操作の必要の無い簡単な操作で出荷管理を行うことができる。
【００１９】
前記実施例では、出荷条件データの全ての項目を一度のタイミングで入力しているが、事前に一部の出荷条件データのみが不明な場合には、（例えば、出荷量データや車番データが出荷時までに決定しない場合）入力できる出荷条件データをあらかじめ入力して記憶手段３に記憶させておき、その後に不明のデータを入力する際に記憶手段３からあらかじめ入力した出荷条件データを呼び出して、追加する出荷条件データの入力を行うことで簡単に出荷条件データの入力を行うことができる。
【００２０】
また、前記実施例では、出荷条件データを入力する際には入力画像として、出荷条件データ入力画像５と項目入力画像６と出荷条件データ表示画像７を備えて段階的に各出荷条件データの入力を行っているが、他の実施例として前記３つの入力画像に設けた入力部や表示部をひとつの画像にまとめて備わるように再構成して、ひとつの入力画像で入力工程や出荷指示工程を行う構成としても、前記実施例と同様な効果を得ることができる。
【００２１】
【発明の効果】
以上述べたように本発明によれば、入力工程でディスプレイ部の画面に表示させた文字に触れることで出荷条件データの入力を行うので、キーボードで入力する経験の少ない出荷管理者でも出荷条件データの入力を簡単な操作で行うことができる。
また、出荷管理者はディスプレイ部の画面のみを見て入力を行うので、入力時の目線の移動が少なくなり作業疲労度が軽減される。
キーボードとマウスを設置する必要がないので、出荷管理装置のレイアウトが自由に設定できる。
【図面の簡単な説明】
【図１】本発明における出荷管理システムの一連の構成を示すフロー図を示す。
【図２】本発明の表示手段に表示する出荷条件データ入力画像を示す。
【図３】本発明の表示手段に表示する項目入力画像を示す。
【図４】本発明の表示手段に表示する出荷条件データ表示画像を示す。
【符号の説明】
１    出荷管理装置
２    入力手段
３    記憶手段
４    表示手段
５    出荷条件データ入力画像
６    項目入力画像
７    出荷条件データ表示画像
２５  演算手段
【図１】
2004167948.tif 000003
【図２】
2004167948.tif 000004
【図３】
2004167948.tif 000005
【図４】
2004167948.tif 000006